(57)【要約】      （修正有）【課題】ペットボトル等の飲料ボトルは中身がなくなれば不要品としてその空容器は捨てられるので、エコが叫ばれている今日であるにもかかわらず、空容器のリサイクル化が行われていない。本考案は、かかる問題に鑑み、飲料ボトルの空容器をリサイクルして、ミネラルウオーター化、浄水化、又はテイーやジュース化した飲料水を提供する。【解決手段】市販の飲料ボトルの空容器本体１と、この空容器本体の口に装着されかつストロー挿入のための孔構造４を有するキャップ２と、このキャップにより空容器本体１の口に上端鍔５Ａを狭着保持されて空容器本体内に吊り下げ保持されるカートリッジ５とからなり、カートリッジ５は側面に通液性を有するかご状構造体とすると共にその下部に活性炭、Ｍｇ、Ｃｕ、大和石、トルマリン、テイーバック、粉末ジュースなどの一つあるいは組合せたものを収容するための源泉室６を設け、この源泉室の中央にストロー挿入のための通路８が形成された飲料ボトル。【選択図】図１
0003101928.tif 000002
【実用新案登録請求の範囲】
【請求項１】
市販の飲料ボトルの空容器本体と、この空容器本体の口に装着されかつストロー挿入のための孔構造を有するキャップと、このキャップにより前記空容器本体の口に上端鍔を狭着保持されて空容器本体内に吊り下げ保持されるカートリッジとからなり、
前記カートリッジは側面に通液性を有するかご状構造体とすると共にその下部に活性炭、Ｍｇ、Ｃｕ、大和石、トルマリン、テイーバック、粉末ジュースなどの一つあるいは組合せたものを収容するための源泉室を設け、この源泉室の中央にストロー挿入のための通路が形成されるようにしたことを特徴とする飲料ボトル。
【請求項２】
市販の飲料ボトルの空容器本体の口にキャップにより上端鍔を狭着保持されて空容器本体内に吊り下げ保持されるカートリッジ本体からなり、このカートリッジ本体は側面に通液性を有するかご状構造体とすると共にその下部に活性炭、Ｍｇ、Ｃｕ、大和石、トルマリン、テイーバック、粉末ジュースなどの一つあるいは組合せたものを収容するための源泉室を設けたことを特徴とする飲料ボトルのカートリッジ。
【考案の詳細な説明】
【技術分野】
【０００１】
本考案は、飲料水、テイー、ジュースなどが入っている飲料ボトル、及び市販の飲料ボトルの空容器内に入れて使用する飲料ボトル及びそのカートリッジに関するものである。
【背景技術】
【０００２】
この種の飲料ボトルとしては代表的なものとして携帯式のペットボトルがあり、ペットボトルは飲料水、テイー、ジュースなどが入っているものが多数市販されている。
【考案の開示】
【考案が解決しようとする課題】
【０００３】
本考案の解決しようとする問題は、ペットボトル等の飲料ボトルは中身がなくなれば不要品としてその空容器は捨てられるので、エコが叫ばれている今日であるにもかかわらず、空容器のリサイクル化が行われていないという点である。本考案は、かかる問題に鑑み、飲料ボトルの空容器をリサイクルして、ミネラルウオーター化、浄水化、又はテイーやジュース化した飲料水を提供しようとするものである。
【課題を解決するための手段】
【０００４】
請求項１の考案は、市販の飲料ボトルの空容器本体と、この空容器本体の口に装着されかつストロー挿入のための孔構造を有するキャップと、このキャップにより前記空容器本体の口に上端鍔を狭着保持されて空容器本体内に吊り下げ保持されるカートリッジとからなり、前記カートリッジは側面に通液性を有するかご状構造体とすると共にその下部に活性炭、Ｍｇ、Ｃｕ、大和石、トルマリン、テイーバック、粉末ジュースなどの一つあるいは組合せたものを収容するための源泉室を設け、この源泉室の中央にストロー挿入のための通路が形成されるようにしたことを特徴とする。
【０００５】
請求項２の考案は、市販の飲料ボトルの空容器本体の口にキャップにより上端鍔を狭着保持されて空容器本体内に吊り下げ保持されるカートリッジ本体からなり、このカートリッジ本体は側面に通液性を有するかご状構造体とすると共にその下部に活性炭、Ｍｇ、Ｃｕ、大和石、トルマリン、テイーバック、粉末ジュースなどの一つあるいは組合せたものを収容するための源泉室を設けたことを特徴とする。
【考案の効果】
【０００６】
請求項１の考案は、市販の飲料ボトルのキャップを取り替えると共にその空容器本体内にカートリッジを装着して水を入れることにより、不要とされている市販の飲料ボトルの空容器が飲料水ボトル、テイーボトル、ジュースボトル等の再生された飲料ボトルになると共にキャップの孔構造を利用してストローも使えるようになって、家庭において簡単安価に市販の飲料ボトルの空容器のリサイクルができるという効果がある。
【０００７】
請求項２の考案は、市販の飲料ボトルの空容器本体にカートリッジを装着して水を入れることにより、不要とされている市販の飲料ボトルの空容器が飲料水ボトル、テイーボトル、ジュースボトル等の再生された飲料ボトルになって、家庭において簡単安価に市販の飲料ボトルの空容器のリサイクルができるという効果がある。
【考案を実施するための最良の形態】
【０００８】
市販の飲料ボトルの空容器本体にカートリッジを装着することにより、不要品とされているかかる空容器の再利用が実現した。
【実施例１】
【０００９】
図１は請求項１の考案の飲料ボトルの一実施例を示す要部縦断側面図、図２は図１においてストローを差し込んだ状態を示す図、図３は図１とは異なる孔構造をもつキャップの部分図である。
【００１０】
図において、１は市販の飲料ボトルの空容器本体、２は空容器本体１の口１ａに装着されかつストロー３を挿入するための孔構造４（薄膜になっている）を有するキャップ、５はキャップ２により空容器本体１の口１ａに上端鍔５ａを狭着保持されて空容器本体１内に吊り下げ保持されるカートリッジで、側面ほぼ全面に孔による通液性を有するかご状構造体となっていると共にその下部に活性炭、Ｍｇ、Ｃｕ、大和石、トルマリン、テイーバック、粉末ジュースなどの一つあるいは組合せたものを収容するための源泉室６を有している。
【００１１】
カートリッジ５を飲料水用とする場合の一例として、下半分に活性炭による層が構成されかつ上半分にＭｇ、Ｃｕなどによる層が構成されるパック体７とし、これを源泉室６内に環状体として収容する。その際、図１に示すようにパック体７の中央に液の上下循環用及びストロー貫挿用の通路８が形成される。
【００１２】
今、図１に示すように源泉室６内にパック体７を収容してなるカートリッジ５を空容器本体１内に入れてその上端鍔５ａをキャップ２により止めておくと、空容器本体１内の水が図中各矢印で示すように循環するので、パック体７内の下半分の活性炭により浄水化されると共に上半分のＭｇ、Ｃｕなどによっても電気的に殺菌されて安全でおいしい水となる。
【００１３】
その際、パック体７内の下半分の活性炭に代えて大和石、トルマリンを入れると、おいしいミネラルウオーターとなり、活性炭による浄水の場合と同様に上半分のＭｇ、Ｃｕなどによって電気的に殺菌される。なお、活性炭、大和石、トルマリンを同じパック体に一緒に入れることも可能である。
【００１４】
カートリッジ５の長さを、図示するように空容器本体１の底近くまでとしておくと、源泉室６が空容器本体１の底近くに位置することになるので、空容器本体１内全域への水の回りが良くなり、源泉的効果が大きくなる。
【００１５】
飲むときには、図２に示すようにストロー３をキャップ２の孔構造４から差し込んで通路８を貫挿した状態でストロー３により飲むことができるし、この図２の状態でキャップ２を外せばストロー３と共にカートリッジ５も一緒に抜けるので空容器本体１の口１ａに何もない状態（従来と同じ）で飲むことができるし、また図１の状態でキャップ２を外せば空容器本体１の口１ａにカートリッジ５の付いた状態で飲むこともできる。
【００１６】
カートリッジ５の源泉室６内に入れた飲料水用パック体７に代えて、テイーバックを入れればテイーボトルになるし、粉末ジュースを入れればジュースボトルになるし、他のお好みのものを入れてお好みの飲み物のボトルを得ることもできる。このとき、大和石、トルマリン、Ｍｇ、Ｃｕなども入れておくと、予め水をミネラルウオーターとしたり、電気的殺菌効果のある水としておくことができるので、テイー、ジュースのおいしさが増大する。
【００１７】
上記実施例ではキャップ２の孔構造４として図１に示すように薄膜を破るものを示したが、図３に示すようにシール９により開口を塞ぐ構造としても良いし、図１の孔構造４にシール９を貼って補強する構造のものとしても良い。
【実施例２】
【００１８】
上記実施例１ではカートリッジ５とキャップ２とを別構造体としたものを示したが、図４に示すようにカートリッジ５を樹脂成型品とし、これにキャップ２を一体樹脂成形した一体成型品としても良く、上記実施例１と同様の作用効果が得られる。
【００１９】
この場合、ストロー３を差し込んでいない状態でもキャップ２部を外すと、カートリッジ５部も一体成型品として一緒に外れるので、すぐさま空容器本体１の口１ａに何もない状態（従来と同じ）で飲むことができる。勿論、ストロー３の差し込みについては作用も効果も上記実施例１と同等である。
【実施例３】
【００２０】
図５は請求項２の考案の飲料ボトルのカートリッジの一実施例を示す縦断側面図であり、図中前記した実施例１のものと同一または相当部分には同一符号を付して説明を省略する。
【００２１】
図において、１０は市販の飲料ボトルのキャップ、１１は空容器本体１の口１ａにキャップ１０により上端鍔１１ａを狭着保持されて空容器本体１内に吊り下げ保持されるカートリッジ本体で、側面ほぼ全面に孔による通液性を有するかご状構造体となっていると共にその下部に活性炭、Ｍｇ、Ｃｕ、大和石、トルマリン、テイーバック、粉末ジュースなどの一つあるいは組合せたものを収容するための源泉室６を有している。
【００２２】
本カートリッジは、源泉室６内に飲料水用のパック体（図示せず）を入れれば飲料水用カートリッジとなるし、源泉室６内にテイーバックを入れればテイー用カートリッジとなるし、源泉室６内に粉末ジュースを入れればジュース用カートリッジとなるし、他のお好みのものを入れればお好みのもののカートリッジとなって使用できる。このテイーバック、粉末ジュースのときに、前記実施例１と同様にＭｇ、Ｃｕ、大和石、トルマリンなども入れておくと、予め水をミネラルウオーターとしたり、電気的殺菌効果のある水としておくことができるので、テイー、ジュースのおいしさが増大する。
【００２３】
このカートリッジを図５に示すように空容器本体１内に入れたときの作用は前記した実施例１のものと同じなので説明を省略するが、本実施例では不要とされている市販の飲料ボトルを空容器本体１とキャップ１０をそのまま利用でき、単に本カートリッジを購入するだけでお好みの飲料ボトルを得ることができる。
【実施例４】
【００２４】
上記実施例３では市販の飲料ボトルのキャップ１０を使うものを示したが、図６に示すようにカートリッジ本体１１を樹脂成型品とし、これにキャップ部１２を一体樹脂成形した一体成型品としても良く、上記実施例２，３と同様の作用効果が得られる。
【産業上の利用可能性】
【００２５】
本考案は、ペットボトルなど使用済みの飲料ボトルに広く活用できる。
【図面の簡単な説明】
【００２６】
【図１】本考案の実施例１を示す要部縦断側面図である。
【図２】図１においてストローを差し込んだ状態を示す図である。
【図３】図１とは異なる孔構造をもつキャップの部分図である。
【図４】本考案の実施例２を示す縦断側面図である。
【図５】本考案の実施例３を示す縦断側面図である。
【図６】本考案の実施例４を示す縦断側面図である。
【符号の説明】
【００２７】
１：市販の飲料ボトルの空容器本体
１ａ：空容器本体１の口
２：キャップ
３：ストロー
４：孔構造
５：カートリッジ
５ａ：カートリッジ５の上端鍔
６：源泉室
７：パック体
８：通路
９：シール
１０：市販の飲料ボトルのキャップ
１１：カートリッジ本体
１１ａ：カートリッジ本体１１の上端鍔
１２：キャップ部
【図１】
0003101928.tif 000003
【図２】
0003101928.tif 000004
【図３】
0003101928.tif 000005
【図４】
0003101928.tif 000006
【図５】
0003101928.tif 000007
【図６】
0003101928.tif 000008